(57)【要約】【課題】デジタルカメラにおいて、操作ボタンの誤操作を防止し、さらにカメラボディの薄型化を可能とする。【解決手段】背面から見て右側の上部にレリーズボタン２を備えたカメラボディ４の背面左側に表示画面５、背面右側の上下方向中間位置に操作ボタン６がそれぞれ配置されてなるデジタルカメラ１において、操作ボタン６の下方に位置し、操作ボタン６の表面よりも背面側に突出して、内部に記録媒体が挿入される第一の突出部７と、操作ボタン６の上方に位置し、操作ボタン６の表面よりも背面側に突出した第二の突出部８とを備える。【選択図】図１
2007201574.tif 000002
【特許請求の範囲】
【請求項１】
背面から見て右側の上部にレリーズボタンを備えたカメラボディの背面左側に表示画面、背面右側の上下方向中間位置に操作ボタンがそれぞれ配置されてなるデジタルカメラにおいて、
前記操作ボタンの下方に位置し、該操作ボタンの表面よりも背面側に突出して、内部に記録媒体が挿入される第一の突出部と、
前記操作ボタンの上方に位置し、該操作ボタンの表面よりも背面側に突出した第二の突出部とを備えてなるものであることを特徴とするデジタルカメラ。
【請求項２】
前記第一の突出部が、前記操作ボタンに向かって緩やかな傾斜を有するものであって、
前記第二の突出部が、前記操作ボタンに向かって緩やかな傾斜を有するものであることを特徴とする請求項１に記載のデジタルカメラ。
【請求項３】
前記第一の突出部が、前記デジタルカメラを保持する際に親指の第一関節から第三関節の間の腹が接触するものであって、
前記第二の突出部が、前記デジタルカメラを保持する際に親指の先端部が接触するものであることを特徴とする請求項１または２に記載のデジタルカメラ。
【請求項４】
前記第一の突出部が、前記第二の突出部よりも背面側に突出していることを特徴とする請求項１〜３のいずれか１項に記載のデジタルカメラ。
【発明の詳細な説明】
【技術分野】
【０００１】
本発明はデジタルカメラに関し、カメラボディの形状に関するものである。
【背景技術】
【０００２】
近年、ＣＣＤイメージセンサ等の撮像素子で被写体を光電変換して撮像信号を得、該撮像信号に対して画像処理を施して画像を生成し、生成された画像を記録／再生するデジタルカメラが普及している。このようなデジタルカメラのカメラボディ背面には、一般に、生成された画像を再生するとともにビューファインダとしても機能し、さらに各種設定メニューを表示する液晶モニタや、各種設定を選択し操作する操作ボタン等が配設されている。（特許文献１）
【特許文献１】特開２００４−２８９７２７号公報
【発明の開示】
【発明が解決しようとする課題】
【０００３】
上記のような構成のデジタルカメラは、通常背面は略扁平に構成されている。ここで図６（ａ）に従来のデジタルカメラの背面斜視図、図６（ｂ）に図６（ａ）のｂ−ｂ断面図を示し、以下これらの図面を参照して従来の課題を説明する。
【０００４】
従来のデジタルカメラ１００は、図６（ａ）に示す如く、背面から見てカメラボディ１４０の右側の上面にレリーズボタン１２０、背面左側に液晶モニタ１５０、背面右側の上方にズームボタン１６７、下方に十字ボタン１６１及びＭＥＮＵ／ＯＫボタン１６２等の操作ボタン１６０がそれぞれ配設され、ズームボタン１６７及び操作ボタン１６０の表面は、図６（ｂ）に示す如く、カメラボディ１４０の背面１００ａから外方に若干突出して設けられている。そしてカメラボディ１４０の背面１００ａは、ユーザがレリーズボタン１２０に右手人差し指を置いた状態でカメラボディを保持する際に、右手親指の先端部が接触する親指先端支持部１８０がズームボタン１６７と操作ボタン１６０の間に、右手親指の第三関節付近の腹が接触する親指第三関節支持部１７０が操作ボタン１６０の下方にそれぞれ位置するように構成されていて、親指先端支持部１８０はユーザが保持しやすいように若干凹状に形成されている。
【０００５】
このような構成のカメラボディ１４０をユーザが保持する際に、右手の親指は、親指先端支持部１８０と親指第三関節支持部１７０でカメラボディ１４０を支持することになり、操作ボタン１６０の表面が、親指先端支持部１８０及び親指第三関節支持部１７０の表面よりも若干突出しているカメラボディ１４０では、強い力で保持した際に、操作ボタン１６０を誤って押してしまう虞がある。また、操作ボタン１６０を誤って押してしまうことがないように、操作ボタン１６０を避けるようにカメラボディ１４０を保持すると、カメラボディ１４０をしっかりと握ることができずに、撮影時に手ブレが発生してしまう虞がある。
【０００６】
また、一般的に従来のデジタルカメラ１００は、図６（ｂ）に示す如く、内部に、ＣＰＵ等を備えた基板１１１を有し、該基板１１１はカメラボディ１４０の背面と略並行に配設されている。そしてカメラボディ１４０背面右側の下方には、該背面から正面側（レンズ側）に向かって操作ボタン１６０、基板１１１、挿脱可能な記録媒体１１０、バッテリー１９０の順にこれらが配設されている。このため記録媒体１１０と操作ボタン１６０は、カメラボディ１４０の背面１００ａから見たときに重なった位置にあり、このことがカメラボディ１４０の薄型化を妨げる要因となっている。
【０００７】
本発明はかかる事情に鑑みてなされたものであり、操作ボタンの誤操作を防止し、さらにカメラボディの薄型化を可能としたデジタルカメラを提供することを目的とするものである。
【課題を解決するための手段】
【０００８】
本発明のデジタルカメラは、背面から見て右側の上部にレリーズボタンを備えたカメラボディの背面左側に表示画面、背面右側の上下方向中間位置に操作ボタンがそれぞれ配置されてなるデジタルカメラにおいて、
前記操作ボタンの下方に位置し、該操作ボタンの表面よりも背面側に突出して、内部に記録媒体が挿入される第一の突出部と、
前記操作ボタンの上方に位置し、該操作ボタンの表面よりも背面側に突出した第二の突出部とを備えてなるものであることを特徴とするものである。なお、本発明において背面とは、撮影レンズを有する側とは反対側に位置する面のことをいう。
【０００９】
本発明のデジタルカメラにおいては、前記第一の突出部が、前記操作ボタンに向かって緩やかな傾斜を有するものであって、
前記第二の突出部が、前記操作ボタンに向かって緩やかな傾斜を有するものであることが好ましい。
【００１０】
本発明のデジタルカメラにおいては、前記第一の突出部が、前記デジタルカメラを保持する際に親指の第一関節から第三関節の間の腹が接触するものであって、
前記第二の突出部が、前記デジタルカメラを保持する際に親指の先端部が接触するものであることが好ましい。
【００１１】
本発明のデジタルカメラにおいては、前記第一の突出部が、前記第二の突出部よりも背面側に突出していることが好ましい。
【発明の効果】
【００１２】
本発明のデジタルカメラは、操作ボタンの下方に位置し、操作ボタンの表面よりも背面側に突出して、内部に記録媒体が挿入される第一の突出部と、操作ボタンの上方に位置し、操作ボタンの表面よりも背面側に突出した第二の突出部とを備えてなるものなので、ユーザがカメラボディを強い力で保持しても、掌又は／及び指の腹は第一の突出部及び第二の突出部の表面に接触し、第一の突出部及び第二の突出部の表面よりも正面側に位置する操作ボタンを押下するには至らない。これにより操作ボタンの誤操作を防止することができる。また記録媒体が操作ボタンの下方に位置した第一突出部の内部に挿入されるので、記録媒体と操作ボタンとは、カメラボディ背面から見て配設位置が重ならない。これにより、上述した従来のデジタルカメラと比較して、カメラボディ内部のレイアウトを最適化することができ、操作ボタンの厚み分だけカメラボディの薄型化が可能となる。
【００１３】
また、第二の突出部が、操作ボタンに向かって緩やかな傾斜を有するものである場合には、ユーザがデジタルカメラの操作ボタンを操作する際に、操作ボタンへの指の移動を円滑にすることができるので、操作性を向上させることができる。さらに、第一の突出部が、操作ボタンに向かって緩やかな傾斜を有するものである場合には、ユーザがカメラボディを保持する際に、前記緩やかな傾斜に指をフィットさせて、カメラボディを確実に保持することができる。これにより撮影時の手ブレの発生を防ぐことができる。
【００１４】
また、第一の突出部が、第二の突出部よりも背面側に突出している場合には、ユーザがカメラボディを保持して操作ボタンを操作する際に、操作する指先がカメラボディを支持する掌又は／及び指の腹よりも正面側に位置するので、カメラボディが握り易く、かつ操作性を向上させることができる。
【発明を実施するための最良の形態】
【００１５】
次に図面を参照し、本発明に係る実施形態のデジタルカメラについて詳細に説明する。
【００１６】
図１は本実施形態のデジタルカメラ１の背面斜視図、図２は図１のデジタルカメラ１の下面図である。
【００１７】
本実施形態のデジタルカメラ１は、図１に示す如く、背面から見て右側の上面にレリーズボタン２、レリーズボタン２の左側に電源ボタン３をそれぞれ備えた略横長箱状のカメラボディ４で形成され、図示していないが、その正面にレンズ、ストロボ、補助ランプ等の、撮影に必要な一般的な各種装置が設けられている。なお、本実施形態のデジタルカメラ１においては、レンズを有する側（図１の奥側）の面を正面とし、レリーズボタン２を有する側（図１の上側）を上方として説明する。
【００１８】
カメラボディ４には、背面左側に液晶モニタ５（表示画面）、背面右側の上下方向中間位置に操作ボタン６がそれぞれ配設されている。液晶モニタ５は、後述するメディア挿填部４２に挿填されたメモリカード１０（記録媒体）に記録された画像、各種設定に必要なメニュー操作画面、撮影時においてはＣＣＤ（不図示）によって取得された画像情報のスルー画等が表示されるものである。
【００１９】
上記操作ボタン６は、上下方向の略中央に設けられ、液晶モニタ５の前記各種設定を行うメニュー操作画面が表示された際に、上下左右を押して設定項目を選択する十字ボタン６１と、十字ボタン６１の略中央に設けられ、メニュー画面の表示及び設定項目の決定を行うＭＥＮＵ／ＯＫボタン６２と、十字ボタン６１及びＭＥＮＵ／ＯＫボタン６２の上方に設けられた再生ボタン６３（左側）及びフォトモードボタン６４（右側）、十字ボタン６１及びＭＥＮＵ／ＯＫボタン６２の右側近傍に設けられた表示／戻るボタン６５等を含む機能ボタン６６とで概略構成されている。カメラボディ４の背面右側には、上記背面右側の上下方向中間位置に設けられた操作ボタン６以外に、広角ズームボタン６７ａと望遠ズームボタン６７ｂで構成されるズームボタン６７、オートまたはマニュアル等の撮影モードを選択するモードレバー６８が設けられている。
【００２０】
また、カメラボディ４内部の右側には、正面側にバッテリー装着部４１、背面側にメディア挿填部４２がそれぞれ設けられ、カメラボディ４の下面には、図２に示す如く、バッテリー装着部４１と繋がるバッテリー挿入口４１ａ、メディア挿填部４２と繋がるメディアスロット４２ａがそれぞれ形成されていて、これらは開閉自在なカバー４３によって覆われている。
【００２１】
バッテリー装着部４１は、バッテリー９が着脱自在に装着される装着部であり、バッテリー９がバッテリー挿入口４１ａからバッテリー装着部４１に装着されると、デジタルカメラ１に電力を供給することができる。なおバッテリー９は、デジタルカメラ１に電力を供給できるものであればよく、リチウムイオン電池、ニッケル水素電池等の二次電池や、電気二重層キャパシタ等の蓄電装置等を使用しても良い。
【００２２】
メディア挿填部４２は、メモリカードやＩＣメモリ等の記録媒体１０が挿填される挿填部であり、記録媒体１０がメディアスロット４２ａからメディア挿填部４２に挿填されると、記録媒体１０に対してデータの読取／書込が行われる。記録媒体１０はｘＤピクチャーカード（xD-Picture Card）、スマートメディア、ＰＣカード、コンパクトフラッシュ（登録商標）、磁気ディスク、光ディスク、光磁気ディスク、メモリスティック等を使用でき、電子的、磁気的、若しくは光学的、又はこれらの組合せによる方式に従って読み書き可能な種々の媒体を用いることができる。また画像を保存する手段は、デジタルカメラ１に着脱可能な記録媒体１０に限られるものではなく、デジタルカメラ１に内蔵された記録媒体すなわち内部メモリであってもよい。
【００２３】
次に、図３に図１のIII−III断面図、図４にユーザがデジタルカメラ１を保持した際の側面図、図５にユーザがデジタルカメラ１を保持した際の要部背面図をそれぞれ示す。
【００２４】
本発明において特徴的なのは、図３に示す如く、操作ボタン６の下方に、該操作ボタン６の表面よりも背面側に２ｍｍ（Ｈ１＝２ｍｍ）突出した第一の突出部７、操作ボタン６の上方に、該操作ボタン６の表面よりも背面側に１ｍｍ（Ｈ２＝１ｍｍ）突出した第二の突出部８がそれぞれ設けられていることである。なお、第一の突出部７は第二の突出部８よりも背面側に突出している。
【００２５】
第一の突出部７は、図４、図５に示す如く、ユーザがレリーズボタン２に人差し指３０を置いてカメラボディ４を保持する際に、右手親指２０の第一関節２１から第三関節２３の間の腹が接触するものであって、操作ボタン６（上方）に向かって緩やかな傾斜を有している。第二の突出部８は、ユーザがレリーズボタン２に人差し指３０を置いてカメラボディ４を保持する際に、右手親指２０の先端部すなわち爪２４を有する部分Ｔの腹の少なくとも一部が接触するものであって、操作ボタン６（下方）に向かって緩やかな傾斜を有している。
【００２６】
ここで上述したメディアスロット４２ａは少なくとも一部が第一の突出部７の下面に位置するように配設されており、記録媒体１０は少なくとも一部が第一の突出部７の内部に収容されるようになっている。なお本実施形態のデジタルカメラ１は、上記のような構造としたが、本発明のデジタルカメラにおいてはこれに限られるものではなく、記録媒体１０の全部が第一の突出部７の内部に収容される構造としてもよい。
【００２７】
そして、カメラボディ４の内部には、図３に示す如く、背面から正面に向かって、記録媒体１０、ＣＰＵ等を備えた基板１１、バッテリー９の順にこれらが配設されている。こうすることにより、記録媒体１０が操作ボタン６の下方に位置する第一の突出部７の内部に挿入されるので、記録媒体１０と操作ボタン６とは、カメラボディ４背面から見て配設位置が重ならない。このため従来のデジタルカメラと比較して、カメラボディ４内部のレイアウトを最適化することができ、操作ボタン６の厚み分だけカメラボディ４の薄型化が可能となる。
【００２８】
なお、本実施形態のデジタルカメラ１においては、メディアスロット４２ａはカメラボディ４の下面右側に形成したが、本発明のデジタルカメラにおいてはこれに限られるものではなく、記録媒体１０の少なくとも一部が第一の突出部７の内部に収容できれば、例えばカメラボディ４の右側面下方に形成してもよい。
【００２９】
なお、本実施形態のデジタルカメラ１においては、図５に示す如く、ユーザがレリーズボタン２に人差し指３０を置いた際に、ユーザがカメラボディ４を握り易いように、人差し指３０の先端から掌までが接触するカメラボディ４の側面が緩やかな曲線を有するものとし、デザインを考慮してカメラボディ４の前記側面とは反対側の側面も緩やかな曲線を有するものとしているが、本発明のデジタルカメラにおいてはこれに限られるものではなく、例えば略長方形であっても略正方形であってもよく、適宜設計変更可能である。
【００３０】
このような構成のデジタルカメラ１によれば、カメラボディ４を強い力で保持しても、右手親指２０の第一関節２１から第三関節２３の間の腹が第一の突出部７の表面に、右手親指２０の先端部Ｔの腹が第二の突出部８の表面にそれぞれ接触するので、第一の突出部７及び第二の突出部８の表面より正面側に位置する操作ボタン６を押下するには至らない。よって操作ボタン６の誤操作を防止することができる。
【００３１】
また、第一の突出部７が、第二の突出部８よりも背面側に突出しているので、ユーザがカメラボディ４を保持する際に、右手親指２０の先端部Ｔの腹が右手親指２０の第一関節２１から第三関節２３の間の腹よりも正面側に位置するので、カメラボディ４を握り易く、また操作ボタン６を右手親指２０の先端部Ｔの腹で操作する際に、操作性も良い。
【００３２】
また、第二の突出部８が、操作ボタン６に向かって緩やかな傾斜を有しているので、ユーザが操作ボタン６を右手親指２０の先端部Ｔで操作する際に、第二の突出部８から操作ボタン６への先端部Ｔの移動を円滑にすることができるので、操作性を向上させることができる。さらに、第一の突出部７も、操作ボタン６に向かって緩やかな傾斜を有しているので、ユーザがカメラボディ４を保持する際に、前記緩やかな傾斜に右手親指２０の腹をフィットさせて、カメラボディ４を確実に保持することができる。これにより撮影時の手ブレの発生を防ぐことができる。
【００３３】
なお、本実施形態のデジタルカメラ１においては第一の突出部７の表面から操作ボタン６の表面までの突出量を２ｍｍ（Ｈ１＝２ｍｍ）、第二の突出部８の表面から操作ボタン６の表面までの突出量を１ｍｍ（Ｈ２＝１ｍｍ）としたが、本発明のデジタルカメラにおいてはこれに限られるものではなく、デジタルカメラの薄型化及び握り易さ、操作性を考慮すると、第一の突出部７の表面から操作ボタン６の表面までの突出量は０．５ｍｍから１．５ｍｍまで（０．５ｍｍ≦Ｈ１≦１．５ｍｍ）の範囲が好ましく、第二の突出部８の表面から操作ボタン６の表面までの突出量は１．５ｍｍから３ｍｍまで（１．５ｍｍ≦Ｈ２≦３ｍｍ）の範囲が好ましい。
【図面の簡単な説明】
【００３４】
【図１】本実施形態のデジタルカメラ１の背面斜視図。
【図２】本実施形態のデジタルカメラ１の下面図。
【図３】図１のIII−III断面図。
【図４】ユーザが本実施形態のデジタルカメラを保持した際の側面図。
【図５】ユーザが本実施形態のデジタルカメラを保持した際の要部背面図。
【図６】従来のデジタルカメラの背面斜視図及び断面図。
【符号の説明】
【００３５】
１，１００      デジタルカメラ
２，１２０      レリーズボタン
３，１３０      電源ボタン
４，１４０      カメラボディ
４１            バッテリー装着部
４１ａ          バッテリー挿入口
４２            メディア挿填部
４２ａ          メディアスロット
５，１５０      液晶モニタ（表示画面）
６，１６０      操作ボタン
６１，１６１    十字ボタン
６２，１６２    ＭＥＮＵ／ＯＫボタン
６３            再生モードボタン
６４            フォトモードボタン
６５            表示／戻るボタン
６６            機能ボタン
７              第一の突出部
１７０          親指第三関節支持部
８              第二の突出部
１８０          親指先端支持部
９，１９０      バッテリー
１０，１１０    記録媒体
１１，１１１    基板
２０            右手親指
２１            右手親指第一関節
２３            右手親指第三関節
２４            右手親指の爪
Ｔ              右手親指の先端部
３０            右手人差し指
【図１】
2007201574.tif 000003
【図２】
2007201574.tif 000004
【図３】
2007201574.tif 000005
【図４】
2007201574.tif 000006
【図５】
2007201574.tif 000007
【図６】
2007201574.tif 000008